(57)【要約】【課題】配管システムの構成に必要な部品点数を減らすことが可能な切替弁を提供すること。【解決手段】第１のポート５４、第２のポート５６、及び第３のポート５８を有する弁ハウジング５２と、弁ハウジング５２内に回動可能に配置され、回動位置に応じて各ポートの連通状態を５つの状態に切り替える弁体６０と、を備える切替弁５０を用いることで配管システムの構成に必要な部品点数を減らすことができる。【選択図】図７
2009156426.tif 000002
【特許請求の範囲】
【請求項１】
第１のポート、第２のポート、及び第３のポートを有する弁ハウジングと、
前記弁ハウジング内に回動可能に配置され、回動位置に応じて前記第１のポート、前記第２のポート、及び前記第３のポートが全て開いて連通する全方連通状態と、前記第１のポート、前記第２のポート、及び前記第３のポートが全て閉じる全方閉鎖状態と、前記第１のポート及び前記第２のポートのみが開いて連通する第１の２方連通状態と、前記第１のポート及び前記第３のポートのみが開いて連通する第２の２方連通状態と、前記第２のポート及び前記第３のポートのみが開いて連通する第３の２方連通状態と、を切り替える弁体と、
を備えることを特徴とする切替弁。
【請求項２】
前記弁体の外周部が、前記第１のポート、前記第２のポート、及び前記第３のポートを塞ぐことを特徴とする請求項１に記載の切替弁。
【請求項３】
前記弁体が半球状又は、半円柱状であることを特徴とする請求項１又は請求項２に記載の切替弁。
【請求項４】
複数の貯水室を有する水槽と、
前記水槽の外側に配置される請求項１〜請求項３の何れか１項に記載の切替弁と、
一方の前記貯水室と前記切替弁の第１ポートとを連通させる第１流入ラインと、
他方の前記貯水室と前記切替弁の第２ポートとを連通させる第２流入ラインと、
前記切替弁の第３ポートに接続される取水ラインと、
を備えることを特徴とする水槽配管システム。
【請求項５】
複数の貯水室を有する水槽と、
一方の前記貯水室内に配置される請求項１〜請求項３の何れか１項に記載の切替弁と、を備え、
前記切替弁の第１ポートが前記一方の貯水室と連通し、
前記切替弁の第２ポートが前記他方の貯水室と連通し、
前記切替弁の第３ポートが前記水槽の外側に設けられる取水ラインに接続されることを特徴とする水槽配管システム。
【請求項６】
前記切替弁の弁体を回動させるアクチュエーターが設けられることを特徴とする請求項４又は請求項５に記載の水槽配管システム。
【発明の詳細な説明】
【技術分野】
【０００１】
本発明は、流路切り替え用の切替弁及び、この切替弁を用いた水槽配管システムに関する。
【背景技術】
【０００２】
マンション、テナントビル、工場、商業施設等には、飲料水、中水などを貯留する水槽が設置されている。このような水槽を設置する場合、地震などの災害発生時に建屋の配管等が破損したときに水槽からの流水を遮断し、二次災害の防止や生活用水を確保する手段を設ける必要がある。従来では、この手段として、振動をいち早く感知し水槽の流出口付近で自動的に配管を閉じる緊急遮断弁（例えば特許文献１〜３参照）が設けられていた。
【０００３】
ところで、比較的大型の水槽（例えば大型のパネル水槽）では、複数の貯水室を形成し、一部の貯水室で清掃などのメンテナンスを行いつつ、残りの貯水室で通常の運転を行うシステムにしていることが多い。この水槽配管システムとしては、例えば、図１１に示される水槽配管システム１００などがあり、この水槽配管システム１００では、中仕切壁８２によって区画された貯水室８４、８６を有する水槽８８の貯水室８４、８６の流出口付近にそれぞれ二方弁形式の緊急遮断弁９０、９２が設けられ、緊急遮断弁９０、９２が設けられた側とは反対側に貯水室８４、８６を連通させる連通管９６と、連通管９６の開閉を行う二方弁形式の開閉弁９８とが設けられる。上述したように、水槽配管システム１００を構成するには、水槽８８、二つの緊急遮断弁９０、９２、連通管９６、及び開閉弁９８が必要とされるが、市場では、水槽配管システムに必要とされる部品点数を減らしてコスト面の改善を図ることが望まれている。
【特許文献１】特開平６−２６５０３２号公報
【特許文献２】特開２００２−２０６６５２号公報
【特許文献３】特開２００４−１７６８５５号公報
【発明の開示】
【発明が解決しようとする課題】
【０００４】
本発明は、上記事実を考慮し、配管システムの構成に必要な部品点数を減らすことが可能な切替弁、及びこの切替弁を用いた水槽配管システムを提供することを目的とする。
【課題を解決するための手段】
【０００５】
上記目的を達成するために、請求項１に記載の切替弁は、第１のポート、第２のポート、及び第３のポートを有する弁ハウジングと、前記弁ハウジング内に回動可能に配置され、回動位置に応じて前記第１のポート、前記第２のポート、及び前記第３のポートが全て開いて連通する全方連通状態と、前記第１のポート、前記第２のポート、及び前記第３のポートが全て閉じる全方閉鎖状態と、前記第１のポート及び前記第２のポートのみが開いて連通する第１の２方連通状態と、前記第１のポート及び前記第３のポートのみが開いて連通する第２の２方連通状態と、前記第２のポート及び前記第３のポートのみが開いて連通する第３の２方連通状態と、を切り替える弁体と、を備えることを特徴としている。
【０００６】
請求項１に記載の切替弁では、弁体の回動位置に応じて第１のポート、第２のポート、及び第３のポートの連通状態が切り替えられる。ここで、第１のポート、第２のポート、及び第３のポートの連通状態のうちの全方連通状態では第１のポート、第２のポート、及び第３のポートが全て開いて連通し、全方閉鎖状態（非連通状態）では第１のポート、第２のポート、及び第３のポートが全て閉じ、第１の２方連通状態では第１のポート及び第２のポートのみが開いて連通し、第２の２方連通状態では第１のポート及び第３のポートのみが開いて連通し、第３の２方連通状態では第２のポート及び第３のポートのみが開いて連通する。つまり、本発明の切替弁は、弁体の回動位置に応じて３つのポートの連通状態が５つの状態に切り替えられることから、例えば、二方弁形式の弁を複数用いて配管システムを構成するよりも、少ない部品点数で同じ機能を有する配管システムを構成することができる。結果、本発明の切替弁は配管システムの構成に必要な部品点数を減らしてコスト面を改善することができる。
【０００７】
請求項２に記載の切替弁は、請求項１に記載の切替弁において、前記弁体の外周部が、前記第１のポート、前記第２のポート、及び前記第３のポートを塞ぐことを特徴としている。
【０００８】
請求項２に記載の切替弁では、第１のポート、第２のポート、及び第３のポートが弁体の外周部によって塞がれる。
【０００９】
請求項３に記載の切替弁は、請求項１又は請求項２に記載の切替弁において、前記弁体が半球状又は、半円柱状であることを特徴としている。
【００１０】
請求項３に記載の切替弁では、弁体が半球状又は、半円柱状であることから、弁体の構造が簡単なものとなる。
【００１１】
請求項４に記載の水槽配管システムは、複数の貯水室を有する水槽と、前記水槽の外側に配置される請求項１〜請求項３の何れか１項に記載の切替弁と、一方の前記貯水室と前記切替弁の第１ポートとを連通させる第１流入ラインと、他方の前記貯水室と前記切替弁の第２ポートとを連通させる第２流入ラインと、前記切替弁の第３ポートに接続される取水ラインと、を備えることを特徴としている。
【００１２】
請求項４に記載の水槽配管システムでは、一方の貯水室と切替弁の第１ポートとが第１流入ラインによって連通され、他方の貯水室と切替弁の第２ポートとが第２流入ラインによって連通される。また、第３ポートに取水ラインが接続される。ここで、水槽の外側に配置された切替弁の弁体を回動させることで、この弁体の回動位置に応じて第１のポート、第２のポート、及び第３のポートの連通状態が５つの状態に切り替えられる。第１のポート、第２のポート、及び第３のポートの５つの連通状態のうちの全方連通状態では第１のポート、第２のポート、及び第３のポートが全て開いて連通するため一方の貯水室、他方の貯水室、及び取水ラインが連通し、一方の貯水室及び他方の貯水室を使用して通常の運転（取水）を行うことができる。全方閉鎖状態では第１のポート、第２のポート、及び第３のポートが全て閉じるため、取水ラインからの流体の流出が防止されるとともに、一方の貯水室と他方の貯水室との間の流体の移動が阻止される。第１の２方連通状態では第１のポート及び第２のポートのみが開いて連通するため、一方の貯水室と他方の貯水室とが連通して一方の貯水室と他方の貯水室との間の流体の移動が許可される。また、第３のポートが閉じているため、取水ラインからの流体の流出が防止される。第２の２方連通状態では第１のポート及び第３のポートのみが開いて連通するため、一方の貯水室と取水ラインとが連通する。また、第２のポートが閉じていることから、他方の貯水室で清掃などのメンテナンスを行いつつ、一方の貯水室を使用して通常の運転（取水）を行うことができる。第３の２方連通状態では第２のポート及び第３のポートのみが開いて連通するため、他方の貯水室と取水ラインとが連通する。また、第１のポートが閉じていることから、一方の貯水室で清掃などのメンテナンスを行いつつ、他方の貯水室を使用して通常の運転（取水）を行うことができる。
ここで、本発明の水槽配管システムと従来の水槽配管システム（二方弁形式の緊急遮断弁を用いた配管システム）とを比較すると、本発明の水槽配管システムは、弁体の回動位置に応じて３つのポートの連通状態を５つの状態に切り替えることができる切替弁を用いるため、従来の水槽配管システムよりも部品点数（主に弁の数）を減らすことができる。つまり、本発明の水槽配管システムは従来の水槽配管システムよりも部品点数を減らしてコスト面を改善することができる。
【００１３】
請求項５に記載の水槽配管システムは、複数の貯水室を有する水槽と、一方の前記貯水室内に配置される請求項１〜請求項３の何れか１項に記載の切替弁と、を備え、前記切替弁の第１ポートが前記一方の貯水室と連通し、前記切替弁の第２ポートが前記他方の貯水室と連通し、前記切替弁の第３ポートが前記水槽の外側に設けられる取水ラインに接続されることを特徴としている。
【００１４】
請求項５に記載の水槽配管システムでは、切替弁の第１ポートが一方の貯水室に連通され、第２ポートが他方の貯水室に連通される。また、取水ラインが第３ポートに接続される。ここで、一方の貯水室内に配置された切替弁の弁体を回動させることで、この弁体の回動位置に応じて第１のポート、第２のポート、及び第３のポートの連通状態が５つの状態に切り替えられる。第１のポート、第２のポート、及び第３のポートの５つの連通状態のうちの全方連通状態では第１のポート、第２のポート、及び第３のポートが全て開いて連通するため一方の貯水室、他方の貯水室、及び取水ラインが連通し、一方の貯水室及び他方の貯水室を使用して通常の運転（取水）を行うことができる。全方閉鎖状態では第１のポート、第２のポート、及び第３のポートが全て閉じるため、取水ラインからの流体の流出が防止されるとともに、一方の貯水室と他方の貯水室との間の流体の移動が阻止される。第１の２方連通状態では第１のポート及び第２のポートのみが開いて連通するため、一方の貯水室と他方の貯水室とが連通して一方の貯水室と他方の貯水室との間の流体の移動が許可される。また、第３のポートが閉じているため、取水ラインからの流体の流出が防止される。第２の２方連通状態では第１のポート及び第３のポートのみが開いて連通するため、一方の貯水室と取水ラインとが連通する。また、第２のポートが閉じていることから、他方の貯水室で清掃などのメンテナンスを行いつつ、一方の貯水室を使用して通常の運転（取水）を行うことができる。第３の２方連通状態では第２のポート及び第３のポートのみが開いて連通するため、他方の貯水室と取水ラインとが連通する。また、第１のポートが閉じていることから、一方の貯水室で清掃などのメンテナンスを行いつつ、他方の貯水室を使用して通常の運転（取水）を行うことができる。
ここで、本発明の水槽配管システムと従来の水槽配管システム（二方弁形式の緊急遮断弁を用いた配管システム）とを比較すると、本発明の水槽配管システムは、弁体の回動位置に応じて３つのポートの連通状態を５つの状態に切り替えることができる切替弁を用いるため、従来の水槽配管システムよりも部品点数（主に弁の数）を減らすことができる。つまり、本発明の水槽配管システムは従来の水槽配管システムよりも部品点数を減らしてコスト面を改善することができる。
さらに、本発明の水槽配管システムは、切替弁が一方の貯水室内に配置されるため、水槽の設置スペースがコンパクトになる。
【００１５】
請求項６に記載の水槽配管システムは、請求項４又は請求項５に記載の水槽配管システムにおいて、前記切替弁の弁体を回動させるアクチュエーターが設けられることを特徴としている。
【００１６】
請求項６に記載の水槽配管システムでは、アクチュエーターが切替弁の弁体を回動させる。
【発明の効果】
【００１７】
以上説明したように、本発明の切替弁によれば、配管システムの構成に必要な部品点数を減らすことができる。そして、本発明の水槽配管システムによれば、従来よりも部品点数を減らしてコスト面を改善することができる。
【発明を実施するための最良の形態】
【００１８】
（第１の実施形態）
（構成）次に、本発明の切替弁を適用した水槽配管システムの第１の実施形態を図１〜図８に従って説明する。図１に示されるように、本実施形態に係る水槽配管システム１０は、中仕切壁１２によって２つの貯水室１４、１６が形成された水槽１８と、水槽１８の外側に配置される切替弁５０とを備えている。
【００１９】
図２に示されるように、切替弁５０は内部（弁室５２Ａ）に半球状の弁体６０を回動可能に収納する弁ハウジング５２を備えている。この弁ハウジング５２には、３つの開口（第１のポート５４、第２のポート５６、及び第３のポート５８）が形成され、この３つの開口の夫々の縁部からは弁ハウジング５２の外方に向かって延びる筒状の配管部（第１の配管部６４、第２の配管部６６、及び第３の配管部６８）が形成されている。この配管部の先端には、配管部の外周側に延び出す配管接続用のフランジ部（第１のフランジ部６４Ｆ、第２のフランジ部６６Ｆ、及び第３のフランジ部６８Ｆ）が形成されている。このフランジ部には図示しないボルト孔が形成されており、後述する配管のフランジ部がボルト等によって接続される。また、本実施形態では、図２に示されるように、弁体６０の回動軸方向と直交する方向の断面で見て、第１の配管部６４、第２の配管部６６、及び第３の配管部６８がＴ字状となるように配置される構成としているが、本発明はこの構成に限定される必要はなく、Ｙ字状に配置される構成であっても、その他の形状に配置される構成であってもよいものとする。
【００２０】
弁体６０には、弁体６０を回動可能に保持する円柱状の回動軸部６２が設けられている。回動軸部６２は、一端部６２Ａが弁ハウジング５２を貫通して外側へと延び出し、図示しない他端部が弁ハウジング５２の内壁に設けられた凹部に嵌合している。この回動軸部６２の一端部６２Ａには、回動軸部６２を回転させるための操作を行うハンドル６３が設けられている。このハンドル６３を回転させることで回動軸部６２が回転し、この回動軸部６２を回動軸として弁体６０が弁室５２Ａ内を回動する。また、弁体６０の外周部６０Ａは、弁体６０の回動位置に応じて各ポート（第１のポート５４、第２のポート５６、及び第３のポート５８）を塞ぐことができる大きさに形成されており、本実施形態では、各ポートが弁体６０の外周部６０Ａとしての外周面によって塞がれている。
【００２１】
また、弁体６０は、弁体６０の回動位置に応じて、第１のポート５４、第２のポート５６、及び第３のポート５８の連通状態を５つの状態に切り替えられるように設定されている。この切替弁５０の５つの連通状態を以下（１）〜（５）に示す。
（１）図２には各ポートの全方連通状態が示されている。この全方連通状態では第１のポート５４、第２のポート５６、及び第３のポート５８が全て開いて連通している。
（２）図３（Ａ）及び図３（Ｂ）には各ポートの全方閉鎖状態が示されている。この全方閉鎖状態では第１のポート５４、第２のポート５６、及び第３のポート５８が全て閉じている。
（３）図４には各ポートの第１の２方連通状態が示されている。この第１の２方連通状態では第１のポート５４及び第２のポート５６のみが開いて連通し、第３のポート５８が閉じている。
（４）図５には各ポートの第２の２方連通状態が示されている。この第２の２方連通状態では第１のポート５４及び第３のポート５８のみが開いて連通し、第２のポート５６が閉じている。
（５）図６には各ポートの第３の２方連通状態が示されている。この第２の２方連通状態では第２のポート５６及び第３のポート５８のみが開いて連通し、第１のポート５４が閉じている。
【００２２】
図７に示されるように、第１の配管部６４は、第１の連通管７４を介して貯水室１４に連通している。この第１の連通管７４は、一端部が第１のフランジ部６４Ｆに接続され、他端部が水槽１８の側壁１７に接続されている。これにより、第１の連通管７４と第１の配管部６４とで第１の流入ラインＰ１が形成される。また、第２の配管部６６は、第２の連通管７６を介して貯水室１６に連通している。この第２の連通管７６は、一端部が第２のフランジ部６６Ｆに接続され、他端部が水槽１８の側壁１７に接続されている。これにより、第２の連通管７６と第２の配管部６６とで第２の流入ラインＰ２が形成される。そして、第３の配管部６８は、第３のフランジ部６８Ｆを介して取水管７８に接続されている。これにより、取水管７８と第３の配管部６８とで取水ラインＰ３が形成される。
【００２３】
図８に示されるように、水槽１８の下側は建築躯体に固定された架台２０によって支持されている。この架台２０には、架台２０から切替弁５０側に延び出す架台延長部２２が形成されている。この架台延長部２２の先端上部側には、平面視で切替弁５０の下方に位置するように固定金具２４が固定されており、この固定金具２４には、第１の連通管７４に上方から掛け渡されるＵバンド２６が固定されているとともに、第２の連通管７６に上方から掛け渡されるＵバンド２８が固定されている。これにより、第１の連通管７４及び第２の連通管７６がＵバンド２６及びＵバンド２８によって固定金具２４に固定される。すなわち、第１の連通管７４及び第２の連通管７６に夫々固定されている切替弁５０も固定金具２４に固定されるため、切替弁５０は固定金具２４、架台延長部２２、及び架台２０を介して水槽１８に固定される。このため、地震時などには、水槽１８と、切替弁５０、第１の連通管７４、及び第２の連通管７６とが一体的に移動する。なお、図７では切替弁５０が全方連通状態時の水槽配管システムを示している。
【００２４】
（作用、効果）以下、本実施形態の作用、効果について説明する。
ハンドル６３を回転させることで回動軸部６２を介して弁体６０が回動される。この弁体６０を図２に示される位置まで回動させると、切替弁５０は全方連通状態となり、第１のポート５４、第２のポート５６、及び第３のポート５８が全て開いて連通する。この全方連通状態のとき、第１の流入ラインＰ１、第２の流入ラインＰ２及び取水ラインＰ３が連通するため、貯水室１４及び貯水室１６を使用して通常の運転（取水）を行うことができるようになる。
【００２５】
次に、弁体６０を図３（Ａ）又は図３（Ｂ）に示される位置まで回動させると、切替弁５０は全方閉鎖状態となり、第１のポート５４、第２のポート５６、及び第３のポート５８が全て閉じるため、取水ラインＰ３からの流体の流出が防止されるとともに、貯水室１４と貯水室１６との間の流体の移動が阻止される。また、弁体６０を図４に示される位置まで回動させると、切替弁５０は第１の２方連通状態となり、第１のポート５４及び第２のポート５６のみが開いて連通するため、第１の流入ラインＰ１及び第２の流入ラインＰ２を介して貯水室１４及び貯水室１６が連通して貯水室１４と貯水室１６との間の流体の移動が許可される。このとき、第３のポート５８が閉じているため、取水ラインＰ３からの流体の流出が防止される。ここで、地震時などには、切替弁５０を全方閉鎖状態、又は第１の２方連通状態にすることで、取水ラインＰ３からの流体の流出を防止することができる。
【００２６】
次に、弁体６０を図５に示される位置まで回動させると、切替弁５０は第２の２方連通状態となり、第１のポート５４及び第３のポート５８が開いて連通するため、第１の流入ラインＰ１を介して貯水室１４及び取水ラインＰ３が連通する。このとき、第２のポート５６が閉じているため貯水室１６で清掃などのメンテナンスを行いつつ、貯水室１４を使用して通常の運転（取水）を行うことができる。そして、弁体６０を図６に示される位置まで回動させると、切替弁５０は第３の２方連通状態となり、第２のポート５６及び第３のポート５８が開いて連通するため、第２の流入ラインＰ２を介して貯水室１６及び取水ラインＰ３が連通する。このとき、第１のポート５４が閉じているため貯水室１４で清掃などのメンテナンスを行いつつ、貯水室１６を使用して通常の運転（取水）を行うことができる。
【００２７】
以上説明したように、本実施形態の水槽配管システム１０に用いられる切替弁５０は、弁体６０の回動位置に応じて第１のポート５４、第２のポート５６、及び第３のポート５８の連通状態を５つの状態に切り替えることができる。このため、水槽配管システム１０は、従来の水槽配管システム（二方弁形式の緊急遮断弁を用いた配管システム）１００よりも部品点数（主に弁の数）を減らすことができ、コスト面を改善することができる。具体的には、水槽配管システム１００の２つの緊急遮断弁９０、９２、及び開閉弁９８の機能を、本実施形態の切替弁５０で代用できるため、部品点数を減らすことができ、コスト面を改善することができる。
【００２８】
また、本実施形態の水槽配管システム１０では、貯水室毎に切替弁への流入ラインを形成する連通管用の開口（取水口）のみを設ければよいため、貯水室に設けられる開口数が少なくなり、開口周りからの漏水に対する信頼性が向上する。
さらに、本実施形態の水槽配管システム１０では、切替弁５０が水槽１８に固定されるため、地震時などには、切替弁５０、第１の連通管７４、及び第２の連通管７６が一体的に移動する。これにより、切替弁５０と水槽１８との間の配管部分（第１の連通管７４、及び第２の連通管７６の接続部分も含む）から水漏れなどが生じるのを防止することができる。
【００２９】
（第２の実施形態）
（構成）次に、本発明の水槽配管システムの第２の実施形態を図９、及び図１０に従って説明する。なお、第１の実施形態と同様の構成には同一の符号を付し、説明は省略する。図９に示されるように、本実施形態に係る水槽配管システム３０は、中仕切壁３２によって２つの貯水室３４、３６が形成された水槽３８と、この貯水室３６内に配置された切替弁５０とを備えている。なお、本実施形態では、切替弁５０が貯水室３６内に配置される構成とするが、本発明はこの構成に限定される必要はなく、切替弁５０が貯水室３４内に配置されてもよいものとする。
【００３０】
図１０に示されるように、貯水室３６の切替弁５０は、ハンドル６３が下方となるように配置されている。切替弁５０の回動軸部６２は、貯水室８４から水槽３８の外側へと水槽３８の下壁３９を貫通して延び出しており、ハンドル６３が水槽３８の外側に配置されている。これにより、貯水室３６内に切替弁５０を配置しても弁体６０を回動することができる。
【００３１】
図９及び図１０に示されるように、切替弁５０は、貯水室３６の床面に弁ハウジング５２の一部が載置された状態で、第１のフランジ部６４Ｆが中仕切壁３２にボルトによって固定されるとともに、第３のフランジ部６８Ｆが水槽３８の側壁３７にボルトによって固定されて貯水室３６内に固定されている。また、切替弁５０の第１の配管部６４は、中仕切壁３２に設けられた開口３２Ａを介して貯水室３４と連通し、第３の配管部６８は、側壁３７に設けられた開口３７Ａを介して、水槽３８の外側から側壁３７に固定された取水管４０に接続されている。なお、第２の配管部６６は貯水室３６内に配置されており、貯水室３６と連通している。
【００３２】
（作用、効果）以下、本実施形態の作用、効果について説明する。なお、本実施形態は、第１の実施形態と同様の作用、及び効果が得られるため、その部分の説明は省略する。
本実施形態の水槽配管システム３０では、切替弁５０が貯水室３６内に配置されるため、水槽の外側に切替弁５０が配置されるよりも水槽の設置スペースがコンパクトになる。また、本実施形態では、水槽の外側に切替弁５０が配置される水槽配管システムよりも、連通管や、架台延長部などの部品点数を減らすことができる。これにより、さらにコスト面を改善することができる。
【００３３】
（その他の実施形態）
上述の実施形態では、弁体６０の形状を半球状とする構成としたが、本発明はこの構成に限定される必要はなく、半円筒状としてもよく、また半円筒状以外の形状としてもよいものとする。
【００３４】
また、上述の実施形態の切替弁５０では、弁体６０の外周部６０Ａが第１のポート５４、第２のポート５６、及び第３のポート５８を塞ぐ構成としたが、本発明はこの構成に限定される必要はなく、弁ハウジング５２の内壁部に弁体６０の外周部６０Ａに接触可能な凸部を設けて、この凸部と外周部６０Ａが接触することで各ポートが塞がれる構成としてもよいものとする。
【００３５】
さらに、上述の実施形態では、回動軸部６２の一端部６２Ａにハンドル６３が設けられ、このハンドル６３を回転させることで弁体６０を回動可能とする構成としたが、本発明はこの構成に限定される必要はなく、回動軸部６２の一端部６２Ａに図示しない制御部によって制御されるアクチュエータが接続される構成としてもよいものとする。またさらに、衝撃等による移動が水槽１８に生じたときに制御部がアクチュエータを作動させて弁体６０を回動させ、切替弁５０を全方閉鎖状態又は第１の２方連通状態にする、所謂緊急遮断弁としての機能を水槽配管システムに持たせてもよいものとする。
【００３６】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもなく、例えば、本発明の切替弁は水槽の配管システム以外の配管システムに用いてもよいものとする。またさらに、一例として水槽に貯水室が３つ以上設けられてもよいものとする。
【図面の簡単な説明】
【００３７】
【図１】第１実施形態に係る水槽配管システムの全体構成を示す概略的な平面図である。
【図２】第１実施形態に係る切替弁の全方連通状態を示す平面断面図である。
【図３】（Ａ）第１実施形態に係る切替弁の一の全方閉鎖状態を示す平面断面図である。（Ｂ）第１実施形態に係る切替弁の他の全方閉鎖状態を示す平面断面図である。
【図４】第１実施形態に係る切替弁の第１の二方連通状態を示す平面断面図である。
【図５】第１実施形態に係る切替弁の第２の二方連通状態を示す平面断面図である。
【図６】第１実施形態に係る切替弁の第３の二方連通状態を示す平面断面図である。
【図７】第１実施形態に係る水槽配管システムの要部の平面断面図である。
【図８】第１実施形態に係る水槽配管システムの要部の側面断面図である。
【図９】第２実施形態に係る水槽配管システムの要部の平面断面図である。
【図１０】第２実施形態に係る水槽配管システムの要部の側面断面図である。
【図１１】従来例の水槽システムの全体構成を示す模式的な平面図である。
【符号の説明】
【００３８】
１０    水槽配管システム
１４    貯水室
１６    貯水室
１８    水槽
３０    水槽配管システム
３４    貯水室
３６    貯水室
５０    切替弁
５２    弁ハウジング
５４    第１のポート
５６    第２のポート
５８    第３のポート
６０    弁体
６０Ａ  外周部
Ｐ１    第１の流入ライン
Ｐ２    第２の流入ライン
Ｐ３    取水ライン
【図１】
2009156426.tif 000003
【図２】
2009156426.tif 000004
【図３】
2009156426.tif 000005
【図４】
2009156426.tif 000006
【図５】
2009156426.tif 000007
【図６】
2009156426.tif 000008
【図７】
2009156426.tif 000009
【図８】
2009156426.tif 000010
【図９】
2009156426.tif 000011
【図１０】
2009156426.tif 000012
【図１１】
2009156426.tif 000013